(57)【要約】【課題】床版の設置位置や床版の形状を極めて容易に調整し、床版打設施工を短期に而も低コストで行う。【解決手段】主桁の両側に支持材１０，１１を設けると共に主桁と交わる方向に延びる梁材１４，１５を、一端が前記主桁に連結されると共に他端が前記支持材１０，１１に支持されるように構成する。そして、主桁に前記梁材を保持する梁材保持手段５０を、主桁の腹板に取り付けられる吊り金具５１と、吊り金具５１に対して鉛直方向に回転可能に支持され、前記梁材を保持する保持部５６と、この保持部５６を前記吊り金具に対して所望の角度に傾けて維持させる角度調整手段７０で構成し、前記吊り金具５１に、前記保持部５６を上下方向の所望の位置で支持せしめる複数の支持部を形成し、これら支持部の中から択一的に選択して保持部５６を支持する。【選択図】  図１
2006312869.tif 000002
【特許請求の範囲】
【請求項１】
平行に延びる主桁に床版を打設する際に使用される固定型枠を、前記主桁に支持させる固定型枠の支持機構であって、
各主桁の左右両側に配されて、これら主桁にそれぞれ取り付けられる支持材と、各主桁の左右両側にてこの主桁と交わる方向に延びるようにそれぞれ配置されて、一端が前記主桁の腹板に連結されると共に他端が前記支持材に支持される梁材とを備え、
各主桁には、この主桁に前記梁材を保持する梁材保持手段が主桁の腹板に取り付けられ、
この梁材保持手段が、前記主桁の腹板に取り付けられる吊り金具と、この吊り金具に対して鉛直方向に回転可能に支持され、前記梁材の前記一端を保持する保持部と、この保持部を前記吊り金具に対して所望の角度に傾けて維持させる角度調整手段とを備えると共に、前記吊り金具には、その上下方向の所定の位置にて前記保持部を支持せしめる複数の支持部が形成されて、前記保持部がこれら支持部の中から択一的に選択された支持部に支持されることを特徴とする固定型枠の支持機構。
【請求項２】
前記梁材保持手段の前記保持部には、前記梁材の一端が取り付けられる保持位置がその上下方向に複数設けられ、前記梁材の一端がこれら保持位置の中から択一的に選択された保持位置に取り付けられることを特徴とする請求項１に記載の固定型枠の支持機構。
【請求項３】
平行に延びる前記主桁の外側方には、主桁の外側方に配された梁材よりさらに外側方に、この梁材と同軸上に延びる補助梁が前記梁材に対して着脱可能に設けられ、
しかも、この補助梁には、この補助梁を、打設される前記床版に着脱自在に取り付ける補助梁取付手段が設けられていることを特徴とする請求項１又は請求項２に記載の固定型枠の支持機構。
【請求項４】
前記主桁同士の間に配される各梁材の前記他端には、各主桁にそれぞれ保持された前記梁材同士を連絡する第二ビーム材を連結させる第二ビーム連結手段がそれぞれ設けられ、
この第二ビーム連結手段は、前記各梁材に対して水平方向に回転可能に前記第二ビームを前記梁材に連結することを特徴とする請求項１〜３いずれか１項に記載の固定型枠の支持機構。
【請求項５】
構造物の骨格を成す主要部材に梁材を保持するための保持用ジグであって、
前記主要部材に取り付けられる吊り金具と、この吊り金具に対して鉛直方向に回転可能に支持され、前記梁材を保持する保持部と、前記吊り金具に対する前記保持部の回転角を所定の角度に調整すると共に、調整された所定の角度にて前記保持部を前記吊り金具に対して維持する角度調整手段とを備え、
前記吊り金具には、前記保持部を支持させる支持部がその上下方向に複数設けられ、前記保持部は、これら支持部の中から択一的に選択された支持部に支持されるように構成されたことを特徴とする梁材保持用ジグ。
【請求項６】
前記保持部には、前記梁材を取り付ける保持位置がその上下方向に複数並べて形成され、前記梁材は、これら保持位置の中から択一的に選択された保持位置に取り付けられるように構成されていることを特徴とする請求項５に記載の梁材保持用ジグ。
【請求項７】
前記角度調整手段は、前記吊り金具に対して往復動するように前記保持部に取り付けられたロッドと、このロッドの先端に結合され、かつ、前記吊り金具のエッジに嵌め込ませる嵌め込み部の形成されたヘッド部とを有し、
前記ロッドの先端と前記ヘッド部との結合が自在継ぎ手の構造に構成されていることを特徴とする請求項５又は請求項６に記載の梁材保持用ジグ。
【請求項８】
平行に延びる主桁に床版を打設する方法であって、
各主桁の左右両側に支持材をそれぞれ取り付け、各主桁の左右両側にて梁材を前記主桁と交差する方向に配置して、この梁材の一端を前記主桁の腹板に梁材保持用ジグを使用して保持せしめると共に、他端を前記支持材で支持して、固定型枠の支持機構を主桁に設置する支持機構設置工程と、
前記梁材保持用ジグにて、この梁材保持用ジグに保持された梁材の主桁に対する相対的な高さと水平に対する傾きを調整する調整工程と、
調整後に前記固定型枠を利用して前記主桁に床版を打設する打設工程と、
を備え、
前記支持機構設置工程では、前記主桁の外側に配された梁材のさらに外側方に、補助梁を前記梁材と同軸上に延びるようにしてこの梁材に対して着脱可能に設置し、
前記打設工程では、補助梁取付手段を介して前記床版に前記補助梁を取り付け、
前記打設工程終了後に、前記補助梁のみを前記床版に取り付けて前記支持材及び前記梁材を前記主桁から取り去ることを特徴とする床版の打設方法。
【発明の詳細な説明】
【技術分野】
【０００１】
本発明は、主桁に床版を打設する際に使用する固定型枠の支持機構、構造物の骨格を成す主要部材に梁材を保持させる際に使用する梁材支持用ジグ、並びに主桁に床版を打設する打設方法に関する。
【背景技術】
【０００２】
平行に延びる主桁上にコンクリート床版を打設する際には、固定型枠が使用される。この固定型枠を主桁に支持するにあたり、従来から様々な手法が採用されている。近年、橋梁の分野では、高い精度で床版を打設することは勿論のこと、低廉なコストで、しかも短期間で施工することが求められている。本件出願人は、かかる課題に取り組み、この課題を解決する様々な手段を既に開示している（例えば、特許文献１参照）。
【０００３】
この特許文献１に開示した固定型枠の支持機構は、平行に延びる主桁と、この主桁同士を連結する複数の横桁とを有する少数主桁橋に設置される支持機構に関し、張出し部側については、主桁の下フランジとウエブとの付け根に一端を支持された第一パイプサポートと、主桁の上フランジとウエブとの付け根に一端を支持されたターンバックルと、主桁の上フランジから外側に張出して設けられた桁外受け梁と、桁外受け梁に一端が支持された１本又は２本の第二パイプサポートとを備え、この１本又は２本の第二パイプサポートの他端と第一パイプサポートの他端とターンバックルの他端とが１箇所において結合されるように構成している。
【０００４】
一方、主桁同士の間の構造に関しては、外側に設置される支持機構と同様の支持機構が、各主桁に設置され、主桁の延びる軸方向に関して千鳥状になるように交互に配されている。
【特許文献１】特開２００２−１６７７１６号公報
【発明の開示】
【発明が解決しようとする課題】
【０００５】
特許文献１に開示した固定型枠の支持機構は、高い剛性を得ることができ、床版の打設が終了するまでの間、支持機構の変形等によるズレを防止し、高い精度の床版を得ることができる点で優れている。
【０００６】
しかしながら、打設される床版の主桁に対する位置を微調整するには、サポート自体の長さを調整したり、梁材と梁材の上に隙間調整用の角材等を搭載して、調整していた。このため、微調整に多大な労力と時間がかかってしまう。
【０００７】
また、床版を打設した後には、この床版の両側部に壁高欄を設置する。壁高欄を設置するときには、床版の両側部に足場が必要となる。足場は、床版を打設後に新たに設けたり、梁材の両側部分、即ち、床版の両側から外側方に張り出す部位を利用していた。足場を新たに設ける場合には、この作業に多大な労力を要し、また、大きな費用もかかってしまう。また、梁材の張り出し部分を足場として使用する場合には、床版を打設し終えた後でも、壁高欄が設置されるまでの間、固定型枠の支持機構は、そのまま主桁に設置しておく必要があった。このため、主桁に余分な付加を与えてしまう。
【０００８】
本発明はかかる問題点に鑑み成されたものであり、特許文献１に記載の発明をさらに発展させ、床版の設置位置や床版の形状を極めて容易に調整できる固定型枠の支持機構及び、梁材保持用のジグを提供すると共に、これらを利用して、低コストでしかも、短期間に床版の打設から壁高欄の設置までをも行うことができる床版の打設方法を提供するものである。
【課題を解決するための手段】
【０００９】
本発明では、このような課題を解決するため、第一に、平行に延びる主桁に床版を打設する際に使用される固定型枠を、前記主桁に支持させる固定型枠の支持機構であって、各主桁の左右両側に配されて、これら主桁にそれぞれ取り付けられる支持材と、各主桁の左右両側にてこの主桁と交わる方向に延びるようにそれぞれ配置されて、一端が前記主桁の腹板に連結されると共に他端が前記支持材に支持される梁材とを備え、各主桁には、この主桁に前記梁材を保持する梁材保持手段が主桁の腹板に取り付けられ、この梁材保持手段が前記主桁の腹板に取り付けられる吊り金具と、この吊り金具に対して鉛直方向に回転可能に支持され、前記梁材の前記一端を保持する保持部と、この保持部を前記吊り金具に対して所望の角度に傾けて維持させる角度調整手段とを備えると共に、前記吊り金具には、その上下方向の所定の位置にて前記保持部を支持せしめる複数の支持部が形成されて、前記保持部がこれら支持部の中から択一的に選択された支持部に支持される固定型枠の支持機構を採用した。
【００１０】
本発明によれば、前記吊り金具に、その上下方向の所定の位置にて前記保持部を支持する支持部が複数形成されており、前記保持部がこれら支持部の中から択一的に選択された支持部に支持される。このため、床版の下面を支持する梁材を、所望の高さに容易に設置することができる。これに加え、梁材を保持する保持部は、吊り金具に対して回転可能に構成されているため、梁材の傾きを所望の傾斜角に変化させることができる。これにより、床版の下面形状を正確に調整できる。また、保持部を吊り金具に対して回転させることにより、保持部が前記梁材を保持している保持位置が相対的に上下に移動する。これを利用して梁材の設置位置を上下に移動させることもできる。
【００１１】
さらに、本発明では上記固定型枠の支持機構において、前記梁材保持手段の前記保持部には、前記梁材の一端が取り付けられる保持位置がその上下方向に複数設けられ、前記梁材の一端がこれら保持位置の中から択一的に選択された保持位置に取り付けられることを特徴としている。このため、高さの調整幅を大きく採ることができると共に、吊り金具とこの保持部との調整機構との組み合わせにより細かい調整をすることができる。
【００１２】
なお、本発明では上記固定型枠の支持機構において、平行に延びる前記主桁の外側方には、主桁の外側方に配された梁材よりさらに外側方に、この梁材と同軸上に延びる補助梁が前記梁材に対して着脱可能に設けられ、しかも、この補助梁には、この補助梁を、打設される前記床版に着脱自在に取り付ける補助梁取付手段が設けられていることを特徴とする。
【００１３】
かかる構成を設けることで、床版の打設後に、補助梁以外の部材を主桁から取り外し、補助梁のみを残留させておくことができる。これにより、当該補助梁を足場として利用できる。また、補助梁以外の部位を主桁から取り外すことができるため、主桁に余分な力を作用させることを防止できる。
【００１４】
他方、上記固定型枠の支持機構において、本発明では、前記主桁同士の間に配される各梁材の前記他端には、各主桁にそれぞれ保持された前記梁材同士を連絡する第二ビーム材を連結させる第二ビーム連結手段がそれぞれ設けられ、この第二ビーム連結手段は、を前記各梁材に対して水平方向に回転可能に前記第二ビームを前記梁材に連結することを特徴とする。
【００１５】
このように、主桁同士の間に設けられる梁同士を第二のビーム材で連絡することで、固定型枠の支持機構の剛性を向上させることができる。この際、本発明が採用する構成のように、梁材に対して第二ビーム材が水平方向に回転可能であるため、一方の一の主桁と他の主桁にそれぞれ取り付けられている梁材が例え主桁の延びる方向において互い違いの部位に設置されていても、第二ビーム材を梁材に対して回転させることで容易に梁材同士を連絡することができる。
【００１６】
また、本発明では、第二に、上記課題を解決するため、構造物の骨格を成す主要部材に梁材を保持するための保持用ジグであって、前記主要部材に取り付けられる吊り金具と、この吊り金具に対して鉛直方向に回転可能に支持され、前記梁材を保持する保持部と、前記吊り金具に対する前記保持部の回転角を所定の角度に調整すると共に、調整された所定の角度にて前記保持部を前記吊り金具に対して維持する角度調整手段とを備え、前記吊り金具には、前記保持部を支持させる支持部がその上下方向に複数設けられ、前記保持部は、これら支持部の中から択一的に選択された支持部に支持されるように構成された梁材保持用ジグを採用した。
【００１７】
橋梁の主桁に床版を打設する際に使用する固定型枠の支持機構に設けられる梁材や、建築構造物の支柱及び梁材に取り付けられる梁材は、その高さ、並びに傾きを調整することが多々行われる。本発明にかかる梁材保持用ジグによれば、保持部を吊り金具に対する保持部の支持位置を所望の高さの位置に選択して支持させることができる。これにより、梁材の高さを調整できる。しかも、吊り金具に設けられた支持部のなかから所望の支持部を選択するだけなので、高さ調整をきわめて容易に行うことができる。また、保持部は、吊り金具に対して回転可能構成され、両者の角度を調整する角度調整機構が設けられているため、傾きを調整しつつ高さを調整できる。
【００１８】
さらに、この梁材保持用ジグでは、前記保持部に、前記梁材の取り付けられる保持位置がその上下方向に複数並べて形成され、前記梁材は、これら保持位置の中から択一的に選択された保持位置に取り付けられるように構成されている。
【００１９】
かかる構成を備えているので、高さの調整幅を大きくすることができるだけでなく、吊り金具と保持部との調整機構との組み合わせで、より細かい調整を可能とする。
【００２０】
そして、前記角度調整手段は、前記吊り金具に対して往復動するように前記保持部に取り付けられたロッドと、このロッドの先端に結合され、かつ、前記吊り金具のエッジに嵌め込ませる嵌め込み部の形成されたヘッド部とを有し、前記ロッドの先端と前記ヘッド部との結合が自在継ぎ手の構造になっている。
【００２１】
ヘッドに嵌め込み部を設けることで、ヘッドが吊り金具から外れてしまうことを効果的に防止する。また、ロッド先端とヘッドとの結合が自在継ぎ手の構造となっているため、この角度調整手段は、保持部の吊り金具に対する角度に自在に対応する。なお、吊り金具へのロッドの取付としては、吊り金具にねじ孔を形成しすると共に、ロッドの外周面にねじを形成し、吊り金具のねじ孔にロッドを螺合させる構成を採用するとよい。この際、ロッドの後端部を六角形状に形成することで、一般に使用されるラチェットレンチによってこのロッドを往復動させることができる。
【００２２】
そして、本発明では上記課題を解決するために、第三に、平行に延びる主桁に床版を打設する方法であって、各主桁の左右両側に支持材をそれぞれ取り付け、各主桁の左右両側にて梁材を前記主桁と交差する方向に配置して、この梁材の一端を前記主桁の腹板に梁材保持用ジグを使用して保持せしめると共に、他端を前記支持材で支持して、固定型枠の支持機構を主桁に設置する支持機構設置工程と、前記梁材保持用ジグにて、この梁材保持用ジグに保持された梁材の主桁に対する相対的な高さと水平に対する傾きを調整する調整工程と、調整後に前記固定型枠を利用して前記主桁に床版を打設する打設工程と、を備え、前記支持機構設置工程では、前記主桁の外側に配された梁材のさらに外側方に、補助梁を前記梁材と同軸上に延びるようにしてこの梁材に対して着脱可能に設置し、前記打設工程では、補助梁取付手段を介して前記床版に前記補助梁を取り付け、前記打設工程終了後に、前記補助梁のみを前記床版に取り付けて前記支持材及び前記梁材を前記主桁から取り去る床版の打設方法を採用した。
【００２３】
この打設方法によれば、先ず、梁材の高さ並びに傾きを調整して床版を打設するため、高い精度の床版を主桁に打設することができる。また、補助梁を設け、これを床版に取り付けることで、床版の側部に壁高欄を設置する際に、この補助梁を足場として利用することができる。この際、補助梁のみを残し、他の部材を主桁から除去するため、主桁に余分な力を作用させることを防止できる。また、壁高欄を設置する前に、支持機構を主桁から取り去ることができるため、施工期間を短縮することができる。
【発明の効果】
【００２４】
以上、本発明によれば、主桁に床版を打設する際、支持機構を構成する梁材の高さや傾きを自由に設定できるので、精度の高い床版を打設することができる。この際、梁材保持用ジグに形成された支持部等を選択するだけで高さ調整を行うことができるため、短時間にしかも労力をかけずに調整できる。さらに、梁材保持用ジグに設けられた角度調整手段を作用させるだけで、梁材の傾きを所望の角度に傾けることができるため、角度調整についても短時間にしかも労力をかけずに調整できる。
【００２５】
しかも、梁材保持用ジグは、汎用性があるため、橋梁に適用することの他に建築構造物にも使用することができる。
【００２６】
また、本発明の支持機構には梁材の他に補助梁を設けている。この補助梁は、床版に取り付けておくことができるため、床版の側部に壁高欄を設ける場合、この補助梁を足場として利用することができる。即ち、壁高欄を設置する工程では、補助梁のみを残し、支持機構の他の部材を主桁か除去することで、主桁に余分な力が作用することを効果的に防止できる。
【発明を実施するための最良の形態】
【００２７】
以下、本発明の実施の形態について図面を参照しながら説明する。
【００２８】
図１及び図２は本発明の第一の実施形態にかかる固定型枠の支持機構を示している。
【００２９】
まず、この固定型枠の支持機構が適用される橋梁について簡単に説明すると、橋梁は、図示しない支柱等によって支持された一対の主桁１，１と、主桁１，１間に配置され、これら主桁１，１を連絡している横桁５とを有している。コンクリート床版６は、これら主桁１，１の上部に打設される。
【００３０】
一対の主桁１，１は、互いに平行をなして延びるように支柱等により支持されており、各主桁１，１は、所定の高さを有する帯状の腹板２，２と、腹板２，２の上端にて腹板２，２の厚み方向に張り出す上フランジ３，３と、腹板２，２の下端にてその厚み方向に張り出す下フランジ４，４とから構成されている。横桁５は、主桁１，１の腹板２，２同士を連結するように構成されたもので、その基本構成は主桁１，１と同様に、所定の高さを有する腹板５ａと、腹板５ａの上端からその厚み方向に張り出している上フランジ５ｂと、下端から厚み方向に張り出す下フランジ５ｃとから構成されている。
【００３１】
コンクリート床版６は、主桁１，１の上フランジ３の上面に支持されるようにして打設される。打設されるコンクリート床版６は、その両側部が各主桁１，１の外側方に張り出すようにして打設される。このコンクリート床版６は、主桁１，１間の部位が一定の厚みに形成され、最も大きなモーメントが生じる主桁１，１に支持される部位が、最も厚い肉厚となるように形成される。そして、主桁１，１の外側方の部位は、外側に向かうにつれその肉厚が薄くなるようにその下面が斜めに傾くように形成される。そして、コンクリート床版６の両側部にはコンクリート床版６から上方に向けて延びる壁高欄７，７が設置されている。この壁高欄７，７は、橋梁の側壁を成すものであり、打設されたコンクリート床版６の側壁に沿って設置される。
【００３２】
このコンクリート床版６を打設する際、並びにコンクリート床版６の側部に壁高欄７，７を設置する際に使用される固定型枠を主桁１，１に支持させる機構が、本実施形態にかかる固定型枠の支持機構である。
【００３３】
この固定型枠の支持機構は、各主桁１，１の腹板２，２を挟んで左右両側に配置される一対の支持材としてのサポートパイプ１０，１１と、これらサポートパイプ１０，１１にそれぞれ支持される梁材としての大引き材１４，１５を備えている。これら、サポートパイプ１０，１１並びに大引き材１４，１５は、図２に示すように、一方の主桁１に取り付けられたものと、他方の主桁１に取り付けられたものとが、これら主桁１，１の延びる方向に関し、交互にずれて配されている。
【００３４】
腹板２，２を間に挟んで配置された各サポートパイプ１０，１１は、図３に示すように、その下端部が主桁１の腹板２と下フランジ４との付け根部分にそれぞれ連結されている。そして、主桁１同士の間に配されたサポートパイプ１１は、主桁１，１同士の中心に向け、腹板２と下フランジ４との付け根から斜め上方に延びている一方で、主桁１の外側に配されたサポートパイプ１０は、主桁１の外側方に向け、腹板２と下フランジ４との付け根から斜め上方に向け外側方に延びており、一対のサポートパイプ１０，１１が「Ｖ」字を描くように配されている。
【００３５】
各サポートパイプ１０，１１の下端には、ピン孔の形成されたラグ１２がそれぞれ設けられており、このラグ１２を腹板２と下フランジ４との付け根に設けられた取付金具にピン結合させてそれぞれ取り付けられている。一方、サポートパイプ１０，１１の上端にもピン孔の形成されたラグ１３がそれぞれ設けられていて、大引き材１４，１５を下から支持する支持金具２０，２０がサポートパイプ１０，１１の上端にピン結合されている。
【００３６】
大引き材１４，１５は、各主桁１の腹板２から左右に延びるようにそれぞれ配されており、各大引き材１４，１５の一端が腹板２の上部に梁材保持用ジグ５０を介して取り付けられ、他端がサポートパイプ１０，１１の上端に支持金具２０，２０により支持されている。
【００３７】
先ず、各主桁１の外側に配された大引き材１４から説明する。この大引き材１４は、図３に示すように、一端が腹板２の外側面に取り付けられた梁材保持用ジグ５０に保持されている一方で、外側の他端部がサポートパイプ１０の上端に支持されて、外側の他端側が一端側に比して上方に位置するように斜めに傾けられている。梁材保持用ジグ５０については、後にその詳細を説明するので、ここでは外側に位置する他端側の構成について詳細を説明する。
【００３８】
サポートパイプ１０の上端には、大引き材１４を支持するための支持金具２０が取り付けられている。サポートパイプ１０の上端には、ピン孔の形成されたラグ１３が設けられていて、支持金具２０はこのラグ１３にピン結合されている。支持金具２０は、その断面形状が「コ」の字に形成され、その下面で大引き材１４を受け、両側面２１で大引き材１４の側面を挟み込むとともに、大引き材１４の側面をボルト締めしている。
【００３９】
また、この大引き材１４の他端よりさらに外側には、この大引き材１４と同軸上に配された補助梁１７が設けられている。この補助梁１７は、その一端部が大引き材１４の他端を支持する支持金具２０に取り付けられ、先端が打設されるコンクリート床版６の側縁より所定の距離だけ外側方の位置まで延びている。支持金具２０の両側面２１には、主桁１，１の外側方に向けて延びる突出部２２が形成されており、補助梁１７は、これら突出部２２の間に挟み込まれるようにして支持金具２０にボルト締めして取り付けられている。これにより、補助梁１７は大引き材１４の他端に対して着脱可能に構成されている。
【００４０】
これら大引き材１４と補助梁１７の上面には、これらの軸線と同方向に角材２５，２６がそれぞれ搭載される。さらに、これら角材２５，２６の上には、主桁１と平行を成して延びる複数の受け材２７…２７が、大引き材１４及び補助梁１７の軸方向の所定の間隔毎に配されている。コンクリート床版６を形成する固定型枠は、これら角材２５，２６及び受け材２７…２７を介して大引き材１４及び補助梁１７に支持される。
【００４１】
そして、図４に示すように、この補助梁１７には打設されるコンクリート床版６の下面に対して自在に着脱させる補助梁取付具３０が設けられている。この補助梁取付具３０は、打設されるコンクリート床版６の下面に埋め込まれるインサート３１と、このインサート３１にねじ込む棒状の吊り棒３２と、吊り棒３２に取り付けられて、補助梁１７を下から支持する受け板３３とを備えている。インサート３１は、内部にねじ孔の形成された筒状の部材であり、その下端がコンクリート床版６の下面と面一となるようにしてコンクリート床版６に埋め込まれている。吊り棒３２は、その外周部にねじが形成されている。吊り棒３２は、その上端がコンクリート床版６に埋め込まれたインサート３１にねじ込まれ、軸方向の中間位置を補助梁１７に貫通させている。受け板３３は、その中心を吊り棒３２の下部から貫通させ、その下からナット３５により位置止めされて吊り棒３２に取り付けられている。また、受け板３３の上面には２つの角材３４，３４が吊り棒３２を間に挟んで設けられており、受け板３３は、これら角材３４，３４を介して補助梁１７を下から支持している。
【００４２】
このように補助梁取付具３０によってコンクリート床版６に取り付けられている補助梁１７は、固定型枠の支持機構を主桁１，１から除去した後も、この補助梁１７のみをコンクリート床版６に残しておくことができる。図５及び図６は、この補助梁１７を残し、打設されたコンクリート床版６の側部に壁高欄７を設置する際の足場としてこの補助梁１７を利用している態様を示している。図５及び図６から明らかなように、固定型枠の支持機構の他の部材が主桁１，１から除去された後も、補助梁１７は、コンクリート床版６の側部に補助梁取付具３０によって取り付けられたまま維持されている。そして、この補助梁が壁高欄設置用の足場としてそのまま使用されている。補助梁の上面には、壁高欄７の設置部に対応する位置に、壁高欄７，７の下面を支持する座台４０が配置されている。また、この座台４０のさらに外側には、作業者が歩行するための板材４１，４１が、コンクリート床版６の側縁と平行を成すようにして設けられている。これらを利用して壁高欄７は、コンクリート床版６の側縁に沿って設置される。なお、この図５及び図６に示す壁高欄７は、その下部とコンクリート床版６の側縁とが固着されるまでの間、外壁部がサポート４５に支持され、ズレ等の発生が防止されている。サポート４５は壁高欄の外側面に当接されるパネル４６を有し、このパネル４６を壁高欄の外側面に固定させるための取付棒４７が上下方向に３つ設けられている。各取付棒４７の位置には、壁高欄７の外側面に沿って延びるガイド棒４８，４８がクランプ４９によりパネル４６の外側面に押し当てられるようにしてそれぞれ２本ずつ設けられている。
【００４３】
次に、再度、図１〜図３を参照して、主桁１，１同士の間に配された大引き材１５に付いて説明する。この大引き材１５は、その一端が腹板２の内側面に取り付けられた梁材保持用ジグ５０に保持され、主桁１，１同士の中心側に配された他端がサポートパイプ１１の上端に支持されている。この大引き材１５の一端を保持している梁材保持用ジグ５０は、主桁１，１の外側方に配される大引き材１４を保持する梁材保持用ジグ５０と腹板２を挟んで同一の位置に取り付けられている。また、主桁１，１同士の中心側の他端部は、サポートパイプ１１の上端に結合された支持金具２０により支持されている。この支持金具２０は、その断面形状が「コ」の字に形成され、その下面で大引き材１５を受け、両側面２１で大引き材１５の側面を挟み込むとともに、大引き材１５の側面をボルト締めしている。なお、この大引き材１５は傾けられることなく、ほぼ水平に配されている。
【００４４】
また、この大引き材１５の他端には、所定長さの補助梁１６が大引き材１５と同軸上に配されている。この補助梁１６は、その一端部が大引き材１５の他端を支持する支持金具２０に取り付けられ、他端が、各補助梁１６の取り付けられた主桁１と対向する他方の主桁１側に向けて延びている。支持金具２０の両側面には、主桁１，１外側方に向けて延びる突出部２２が形成されており、補助梁１６は、これら突出部２２の間に挟み込まれるようにして支持金具２０にボルト締めして取り付けられている。
【００４５】
上述のように、各主桁１，１に設けられた大引き材１５並びにサポートパイプ１１は、主桁１，１の延びる方向において、相互に所定の距離だけずれて交互に配されている。このため、大引き材１５の他端側に取り付けられた補助梁１６は、互いにラップしている。このように補助梁１６をラップさせているため、主桁１，１同士の中心部では、高い剛性並びに強度で、打設されるコンクリート床版６を支持することができる。
【００４６】
次に、大引き材を主桁１，１に取り付けている梁材保持用ジグ５０について説明する。
【００４７】
図７〜図９は、大引き材１４，１５を主桁１に保持させる梁材保持用ジグ５０の詳細を示している。この梁材保持用ジグ５０は、主桁１の腹板２にねじ止めされる吊り金具５１と、この吊り金具５１に対して回転可能に支持されると共に、大引き材１４，１５の一端が保持される保持部５６と、保持部５６の吊り金具５１に対する傾き角度を調整すると共に、調整された所望の傾き角度の位置にて保持部５６を吊り金具５１に対して維持させる角度調整機構７０とから構成されている。
【００４８】
吊り金具５１は、腹板２に密着される板状のベース板５２と、このベース板５２に対して直交するようにして設けられ、保持部５６が支持される板状の支持板５３とから構成されている。主桁１の腹板２には、この腹板２を貫通している取り付け孔が形成されており、吊り金具５１は腹板２を左右から挟み込むようにして、この取付孔にボルト締めされている。また、支持板５３には、その上下方向に２つの支持孔５４，５５が並べられて形成されている。
【００４９】
また、この吊り金具５１には、支持孔５５の下側に、径の大きく形成された補助孔５３ａが設けられている。この補助孔５３ａは、主桁１，１に中段足場や下段足場を組む際に、これら足場を支持するターンバックルやチェーンなどを取り付けるための孔である。
【００５０】
一方、保持部５６は、吊り金具５１の支持板５３と平行に配された板状の保持板５７と、この保持板５７と直角をなして平行に配されるように保持板５７に接合された取付板６３，６５とから構成されている。保持板５７は、当該保持部５６を吊り金具５１に対して回転可能に取り付けると共に、大引き材１４，１５を保持するための部材である。この保持板５７は、一方の片側半分５７ａが略三角形状に形成されており、その頂部が円弧状に形成されている。そして、この片側半分５７ａの先端付近には吊り金具５１の支持板５３に形成された支持孔５４，５５と同寸の支持孔５８が形成されている。これに対し他方の片側半分５７ｂは、四辺形状に形成されている。この他方の片側半分５７ｂの側縁の近傍には、複数の保持孔６０，６１，６２が上下に並ぶようにして形成されている。
【００５１】
この保持部５６は、保持板５７に形成された支持孔５８が、吊り金具５１の支持板５３に形成された２つの支持孔５４，５５の中から択一的に選択された支持孔にピン結合されて、吊り金具５１に対して回転可能に支持される。また、保持板５７に形成された複数の保持孔６０，６１，６２は、これらの中から択一的に選択された保持孔に大引き材１４，１５の一端が保持される。
【００５２】
この保持板５７と直角を成す２枚の取付板６３，６５は、保持部５６を吊り金具５１に対して所定の傾き角度に調整する角度調整機構７０が取り付けられる部材である。２枚の取付板６３，６５のうち、一方の取付板６３は、保持板５７を左右に分けるよう保持板５７のほぼ中心にて上下に延びるように配されている。もう一方の取付板６５は、取付板６３と所定の間隔を隔て、保持板５７の下部にて取付板６３と平行を成すように配されている。取付板６３の下部には、この取付板６３を貫通する貫通孔６４が形成されている一方で、取付板６５にはそのほぼ中央部にねじ孔６６が形成されている。
【００５３】
そして、これら貫通孔６４並びにねじ孔６６には、角度調整機構７０が取り付けられている。この角度調整機構７０は、貫通孔６４並びにねじ孔６６に挿入されたロッド７１と、このロッド７１の先端に結合された円筒状のヘッド７７とから構成されている。このロッド７１はその軸方向の中心部から先端側にかけての部位７２が棒状に形成されている一方で、中心部から後端部にかけての部位がねじ部７３として形成されている。また、ロッド７１の後端部分７６はボルトの頭部のように六角形状に形成されている。その一方で、ロッド７１の先端部７４は、球状に形成されている。球状に形成された先端部７４の付け根部分７５には、その径が小さく加工されたくびれが形成されている。
【００５４】
ヘッド７７は、円筒状に形成されており、その内部７８が空洞になっている。ヘッド７７の後端面には、ロッド７１が挿入される孔７９が形成されている一方で、先端側は閉鎖されている（図８参照）。また、ヘッド７７の先端面には、このヘッド７７の直径方向に延びる嵌め込み溝８０が形成されている（図９参照）。球状に形成されたロッド７１の先端部７４は、ヘッド７７の内部７８に形成された空洞部に挿入されている。このヘッド７７の内部７８に形成された空洞は、その内径が球状に形成されたロッド７１の先端部７４の外径よりもやや大きめに形成されている一方で、ヘッド７７の後端面に形成された孔７９は、ロッド７１の先端部７４の外径よりもその径が小さく形成されている。このように、ロッド７１の先端部７４は、ヘッド７７と自在継ぎ手の構造により結合されており、ロッド７１がヘッド７７から抜け出すことがなく、ヘッド７７に対して自由に回転することができると共に、ヘッド７７の軸線に対して自由に折れ曲がるようにロッド７１とヘッド７７とが結合されている。
【００５５】
この角度調整機構７０は、ロッド７１の中心部から後端側に掛けてのねじ部７３が取付板６５に形成されたねじ孔６６に螺合される一方で、中心部から先端側にかけての棒状の部位７２が取付板６３の貫通孔６４に挿入される。そして、ロッド７１の先端に結合されたヘッド７７を吊り金具５１の支持板５３に係り合せてセットする。ヘッド７７の先端面に形成された嵌め込み溝８０を支持板５３のエッジに嵌め込むことでヘッド７７を支持板５３に係り合わせている。
【００５６】
このように、吊り金具５１、保持部５６並びに角度調整機構７０が構成されることにより、角度調整機構７０のロッド７１をねじ込めば、取付板６３から突出するロッド７１の量が増加し、保持部５６の吊り金具５１に対する角度が広がる。ロッド７１を取付板６５に対して逆方向に回転させれば、取付板６３からのロッド７１の突出量が短くなり、保持部５６の吊り金具５１に対する角度が減少する。なお、角度調整機構７０を構成するヘッド７７とロッド７１とは、自在継ぎ手の構造により結合されているため、吊り金具５１に対する保持部５６の角度が変化しても、角度調整機構７０はこの角度の変化に円滑に追従する。
【００５７】
図１０〜図１２は、かかる構成を備えた梁材保持用ジグ５０を操作して、梁材の主桁１に対する高さ並びに傾きを種々変化させた態様を示している。なお、これら図１０〜図１２では、吊り金具５１の支持板５３に形成された２つの支持孔５４，５５のうち下側に形成された支持孔５５に保持部５６を支持させた態様を例に示している。
【００５８】
図１０は、支持板５３の下側に形成された支持孔５５に保持部５６を支持させた場合において、この保持部５６で大引き材１５を最も高い位置に保持させる態様を示している。大引き材１５は、保持部５６の保持板５７に形成された３つの保持孔６０，６１，６２のうち、最上段に形成された保持孔６０に保持されている。また、保持部５６に取り付けられた角度調整機構７０は、大引き材１５が上方へ移動されるように吊り金具５１に対する保持部５６の角度を開かせている。角度調整機構７０のヘッド７７は、その先端面に形成された嵌め込み溝８０を吊り金具５１の支持板５３の下部に嵌め込ませている。そして、取付板６３からの突出量が大きくなるようにロッド７１は吊り金具５１に向けてねじ込まれている。ロッド７１がねじ込まれると、保持部５６は、互いに連結されている支持板５３の支持孔５５並びに保持板５７の支持孔５８を中心に回転され、吊り金具５１に対して大きく回転された位置に固定される。これにより、大引き材１５と保持部５６との連結点である保持孔６０の位置は上方に移動され、大引き材１５を高い位置に保持させ、大引き材１５と主桁１の上フランジ３との隙間を小さく設定することができる。
【００５９】
図１１は、吊り金具５１に対して保持部５６を閉じた状態で大引き材を保持させた状態を示している。この図１１においても、大引き材１５は保持部５６の保持板５７に形成された保持孔６０，６１，６２のうち最上部に形成された保持孔６０に保持されている。この図１１に示す態様では、角度調整機構７０のロッド７１は、取付板６３からの突出量が小さくなるように後方へ後退されている。これにより、保持部５６は吊り金具５１に対して閉じられ、大引き材１５を保持している保持孔６０の位置が下側に移動される。
【００６０】
図１２では、大引き材１５を図１１に示す状態よりも、さらに下方の位置で保持させる態様を示している。大引き材１５は保持部５６の保持板５７に形成された最下部の保持孔６２に保持されている。この場合にも、角度調整機構７０のロッド７１は、取付板６３からの突出量が小さくなるように後方へ後退され、保持部５６は吊り金具５１に対して閉じられた状態となっている。これにより、大引き材１５を保持している保持孔６２の位置が下側に移動され、大引き材１５が低い位置に保持される。大引き材１５を低い位置に保持させることで、大引き材１５と主桁１の上フランジ３との隙間を大きく設定できる。
【００６１】
なお、図１０〜図１２では大引き材１５を水平に保ったまま保持部５６の吊り金具５１に対する角度を変化させているが、保持部５６の回転角に対応させて大引き材１５の傾きを変化させれば、大引き材１５の傾きを所望の傾きに設定できる。
【００６２】
このように、吊り金具５１に対する保持部５６の角度を変化させること、並びに大引き材１５の保持部５６への保持孔６０，６１，６２を適宜選択することにより、大引き材１５の高さを所望の位置に保持させることができると共に大引き材１５の傾きを自由に設定できる。なお、これら図１０〜図１２では、吊り金具５１の支持板５３に形成された支持孔５４，５５のうち下側に形成された支持孔５５を選択して保持部５６を支持させているが、上側に形成された支持孔５４を選択することもできる。この上側の支持孔５４を選択した場合には、図１０〜図１２に示した高さの調整範囲と比較して、支持孔５４と支持孔５５の寸法分だけ上側にずれた範囲で大引き材１５の高さ調整を行うことができる。
【００６３】
以上、吊り金具５１に２つの支持孔５４，５５を設けた場合、保持部５６の保持板５７に３つ保持孔６０，６１，６２を設けた場合を例に説明したが、これに限定されるものではなく、支持孔並びに保持孔は対象に応じて適宜の数設ければよい。
【００６４】
以上の構成を備えた、固定型枠の支持機構を利用すれば、次の手順でコンクリート床版６を主桁１，１に打設すると共に、壁高欄７，７を設置することができる。
【００６５】
先ず、主桁１，１の腹板２，２に梁材保持用ジグ５０を主桁１，１の延びる方向における所定の間隔毎に取り付ける。この際、一方の主桁１と他方の主桁１において、これら主桁１，１の延びる方向について千鳥状に梁材保持用ジグ５０を取り付ける。この梁材保持用ジグ５０は、腹板２，２を間に挟んで同位置に、腹板２，２の外面と内面にそれぞれ取り付ける。なお、吊り金具５１へ保持部５６を支持させる支持孔５４，５５は、打設するコンクリート床版６の形状や打設位置に応じて予め選択しておく。
【００６６】
次いで、これら梁材保持用ジグ５０の取り付け部に対応する位置にて、サポートパイプ１０，１１の下端を主桁１，１の腹板２，２と下フランジ４，４の付け根の部分に支持させる。なお、サポートパイプ１０，１１は、各主桁１，１の外側と内側の双方にそれぞれ支持させる。また、腹板２，２の内面と外面に取り付けられた各梁材保持用ジグ５０に、大引き材１４，１５の一端を保持させると共に、他端を各サポートパイプ１０，１１の上端に支持させる。大引き材１４，１５の一端を梁材保持用ジグ５０に保持させる際、その部位に対応するコンクリート床版６の形状や高さに応じて保持部５６の保持孔６０，６１，６２を適宜に選択して保持する。また、保持される大引き材１４，１５の角度を角度調整機構７０を利用して適宜調整する。また、これらを調整する一方で、大引き材１４，１５の他端を支持するサポートパイプ１０，１１を伸縮させて、大引き材１４，１５が適切な高さと傾きで保持されるように調整する。
【００６７】
次いで、内側に配された大引き材１５の先端部分に補助梁１６を大引き材１５と同軸上に延びるように取り付ける。一方、外側に配された大引き材１４の先端にも補助梁１７を大引き材１４と同軸上に延びるようにして取り付ける。なお、これら補助梁１６，１７は、大引き材１４，１５を支持している支持金具２０に大引き材１４，１５の端部に取り付けられる。この際、外側に配された補助梁１７には、補助梁取付具３０を取り付けておく。
【００６８】
その後、支持機構で支持して固定型枠を主桁１，１の上部に設置し、コンクリート床版６を打設する。コンクリートが固まると、補助梁１７に取り付けておいた補助梁取付具３０のインサート３１がコンクリート床版６の内部に埋め込まれた状態となる。
【００６９】
そして、補助梁１７を残して、支持機構の他の部材を除去する。コンクリート床版６の側部に残された補助梁１７を足場としてコンクリート床版６の側縁に壁高欄７，７を設置する。その後、コンクリート床版６の下面から補助梁１７を除去して、側縁に壁高欄７，７の設けられたコンクリート床版６の打設作業を終了する。
【００７０】
なお、支持機構を取り去る際、梁材保持用ジグ５０の吊り金具５１は、そのまま、腹板２，２に取り付けておくとよい。吊り金具５１を腹板２，２に残しておけば、これを利用して足場の設置に利用することができる。例えば、橋梁の完成後、数年経過した後にメンテナンスする必要がある場合、吊り金具５１を残しておくことで、この吊り金具５１を利用して足場を設置することができる。これに加え、コンクリート床版６に埋め込まれたインサート３１も利用して、足場の設置を行うことができる。
【００７１】
次に第二の実施形態について説明する。
【００７２】
図１３及び図１４に示すように、この固定型枠の支持機構も、各主桁１，１の腹板２，２を挟んで左右両側に配置される一対の支持材としてのサポートパイプ１０，１１と、これらサポートパイプ１０，１１にそれぞれ支持される梁材としての大引き材１４，１５を備えている。この実施形態にかかる、サポートパイプ１０，１１並びに大引き材１４，１５は、図１４に示すように、一方の主桁１に取り付けられたものと、他方の主桁１に取り付けられたものとが、これら主桁１，１の延びる方向に関し、同位置に配されて、左右方向に直線上に並べられている。なお、この第二の実施形態についても、サポートパイプ１０，１１と大引き材１４，１５とで形成される基本構成は、第一の実施形態のものと同様であるので、ここでは、同一部材について同一の符号を付して、その詳細な説明は省略する。
【００７３】
この実施形態では、主桁１，１同士の内側に配されている大引き材１５の端部同士が第二ビーム材としてのビティビーム９０により連絡されている。このビティビーム９０は、図１５１５に示すように、その両端が各大引き材１５の端部を支持している支持金具２０に支持されている。このビティビーム９０は、所定の高さを有する帯状の縦板９１と、この縦板９１の上端においてその厚み方向に張り出す上フランジ９２と、縦板９１の下端部にてその厚み方向に張り出す下フランジ９３とから構成されている。そして、このビティビーム９０の軸方向の端部には、連結ブラケット９５が上フランジ９２の端面から各支持金具２０に向けて突出するように接合されている。ビティビーム９０はこれら連結ブラケット９５が支持金具２０に取り付けられて大引き材１５に連結される。
【００７４】
図１６は、支持金具２０と連結ブラケット９５との連結状態の詳細を示している。ビティビーム９０は、支持金具２０のやや下側に配され、連結ブラケット９５が吊りボルト１００によって支持金具２０に吊り下げられるようにして連結されている。
【００７５】
ビティビーム９０の端部に接合された連結ブラケット９５には、その中心部に貫通孔９６が形成されている。一方、支持金具２０には、図１７及び図１８に示すように、突出部２２が支持金具２０の両側面２１から主桁１，１同士の中心側に張り出すように形成されている。これら突出部２１の先端部分には、突出部２２を連絡するように矩形状のプレート２３が取り付けられている。そして、このプレート２３の中心には貫通孔２４が形成されている。
【００７６】
これら連結ブラケット９５の貫通孔９６、及び突出部２２の先端に取り付けられた矩形状のプレート２３の貫通孔２４には、吊りボルト１００が挿入される。そして、プレート２３の上面に向けてナット１０１が吊りボルト１００の上端からねじ込まれると共に、連結ブラケット９５の下面に向けて吊りボルト１００の下端からナット１０２がねじ込まれている。このように、吊りボルト１００とナット１０１，１０２を利用してビティビーム９０と支持金具２０とを連結するので、ナット１０１，１０２の位置を上下に移動させれば、ビティビーム９０の高さを自在に調整することができる。また、連結ブラケット９５は、ナット１０２により下から支持され、かつ、プレート２３は、その上面にナット１０１が当接されているだけで、吊りボルト１００と連結ブラケット９５、並びに、吊りボルト１００とプレート２３は、相互に拘束されていない。したがって、ビティビーム９０は、この連結部分を支点として水平方向に回転することができる。このため、例え、一方の主桁１に保持された大引き材１５と、他方の主桁１に保持された大引き材１５とが主桁１，１の延びる方向においてずれた位置に配されていても、両大引き材１５を連絡することができる。
【００７７】
なお、この第二の実施形態では、第二ビーム材としてビティビーム９０を例に説明したが、これには限定されず、Ｉ形鋼、チャンネル材、アングル材、角パイプ、ホリビーム等その他の梁材を使用しても構わない。
【００７８】
以上、梁材保持用ジグ５０について、橋梁を構成する主桁に適用した場合を例に説明したが、梁材保持用ジグ５０は、橋梁以外の建築構造物にも適用することができる。例えば、建築構造物の支柱や梁材等に梁材を取り付ける際、支柱に梁材保持用ジグを取り付ける。そして、梁材の一端をこの梁材保持用ジグを介して保持させる。これにより、梁材の高さを所望の高さに設置することができると共に、梁材を単に水平に設置するだけでなく、所望の角度に傾けて設置することもできる。
【図面の簡単な説明】
【００７９】
【図１】本発明の一実施形態にかかる固定型枠の支持機構を示す図。
【図２】図１に示す固定型枠の支持機構を上から見た図。
【図３】図１に示す固定型枠の支持機構の一方の主桁側について詳細を示す図。
【図４】主桁の外側に配された補助梁の取付状態を詳細に示す図。
【図５】補助梁のみが床版に取り付けられた状態を示す図。
【図６】図５の補助梁の部位を拡大して、その詳細を示す図。
【図７】梁材としての大引き材を主桁に保持させる梁材保持用ジグの詳細を示す図。
【図８】梁材保持用ジグを構成する角度調整機構を示す図。
【図９】図８に示す角度調整機構のヘッドを示す図。
【図１０】梁材保持用ジグを使用して、梁材としての大引き材の高さ及び角度を調整した一態様を示す図。
【図１１】図１０に示す態様とは、別の状態に調整された梁材保持用ジグと大引き材を示す図。
【図１２】さらに、別の状態に調整された梁材保持用ジグと大引き材を示す図。
【図１３】本発明の第二の実施形態にかかる固定型枠の支持機構を示す図。
【図１４】図１３に示す固定型枠の支持機構を上から見た図。
【図１５】梁材としての大引き材同士を連絡している第二ビーム材を示す図。
【図１６】梁材としての大引き材と第二ビーム材との連結部の詳細を示す図。
【図１７】大引き材の端部を支持する支持金具の側面図。
【図１８】図１７に示す支持金具の正面図。
【符号の説明】
【００８０】
１ 主桁
２ 腹板
６ コンクリート床版
７ 壁高欄
１０，１１ サポートパイプ（支持材）
１４，１５ 大引き材（梁材）
１６，１７ 補助梁
２０ 支持金具
２２ 突出部
２３ プレート
３０ 補助梁取付具
３１ インサート
３２ 吊り棒
３３ 受け板
５０ 梁材保持用ジグ（梁材保持手段）
５１ 吊り金具
５４，５５ 支持孔（支持部）
５６ 保持部
６０，６１，６２ 保持孔（保持位置）
７０ 角度調整機構
７１ ロッド
７７ ヘッド
８０ 嵌め込み溝
９０ ビティビーム（第二ビーム材）
９５ 連結ブラケット
９６ 貫通孔
１００ 吊りボルト
１０１，１０２ ナット
【図１】
2006312869.tif 000003
【図２】
2006312869.tif 000004
【図３】
2006312869.tif 000005
【図４】
2006312869.tif 000006
【図５】
2006312869.tif 000007
【図６】
2006312869.tif 000008
【図７】
2006312869.tif 000009
【図８】
2006312869.tif 000010
【図９】
2006312869.tif 000011
【図１０】
2006312869.tif 000012
【図１１】
2006312869.tif 000013
【図１２】
2006312869.tif 000014
【図１３】
2006312869.tif 000015
【図１４】
2006312869.tif 000016
【図１５】
2006312869.tif 000017
【図１６】
2006312869.tif 000018
【図１７】
2006312869.tif 000019
【図１８】
2006312869.tif 000020